(57)【要約】      （修正有）【課題】串に刺した焼き鳥等を、手を汚さずに最後まで食することができる串用押し具に関するものである。【解決手段】装着される串等の直径よりも小さな案内孔２と、前記案内孔２の周縁に前記串等の形状を考慮した切り込み５Ａ，６等とを吸水性素材から成る平板状の押し出し片３Ａの略中央に形成し、前記押し出し片３Ａの片面側周縁に立設した側縁部４Ａが形成されている。【選択図】図１
2006187560.tif 000002
【特許請求の範囲】
【請求項１】
装着される串等の直径よりも小さな案内孔（２）と、前記案内孔（２）の周縁に前記串等の形状を考慮した切り込み（５Ａ，６，７Ａ）とを吸水性素材から成る平板状の押し出し片（３Ａ）の略中央に形成し、前記押し出し片（３Ａ）の片面側周縁に立設した側縁部（４Ａ）を形成したことを特長とする串用押し具（１Ａ）。
【請求項２】
装着される串等の直径よりも小さな案内孔（２）と、前記案内孔（２）の周縁に前記串等の形状を考慮した切り込み（５Ｂ，６，７Ｂ）とを吸水性素材から成る平板状の押し出し片（３Ｂ）の略中央に形成し、前記押し出し片（３Ｂ）の両面側周縁に立設した側縁部（４Ｂ）を形成したことを特長とする串用押し具（１Ｂ）。
【請求項３】
前記切り込み（５，６，７）のそれぞれの切り込み深さがそれぞれ異なることを特徴とする請求項１または請求項２記載の串用押し具（１Ａ，１Ｂ）。
【請求項４】
押し出し片（３Ｃ，３Ｄ）上に串上の食品を係止可能な凸片（１３）を形成したことを特徴とする請求項１または請求項２または請求項３記載の串用押し具（１Ｃ，１Ｄ）。
【発明の詳細な説明】
【技術分野】
【０００１】  本発明は串に刺した焼き鳥等を手を汚さずに串先へ押して移動させ、最後まで食することができる串用押し具に関するものである。
【背景技術】
【０００２】  串に刺した焼き鳥等の残り少なくなった身を串先の方に押して移動させるための手段として、特許文献１には、串を入れるための串入れ部が切り抜かれている周囲が少し上がった皿状のプラスチック製の串用押し具が開示されている。
また、特許文献２には、押出し体の面の中央に十字の挿入手段を設けた串刺し食品の食品押出し具が開示されている。
【特許文献１】  特開平９−１５４６９５号公報
【特許文献２】  特開平５−２３６９２４号公報
【発明の開示】
【発明が解決しようとする課題】
【０００３】  背景技術で述べたように、手を汚さずに最後まで食することを目的に様々な試みがなされているが、周辺の切り抜きを串に挿入するものでは串に付着しているたれ等が拭いきれず手に付いてしまうことがある。
また、押出し体の面の中央に単に十字の挿入手段を設けただけでは、やはり串に付着しているたれ等が拭いきれず手に付いてしまうことがある。
本発明は、串に刺した焼き鳥等を、手を汚さずに最後まで食することができる串用押し具を提供することにある。
【課題を解決するための手段】
【０００４】  請求項１の串用押し具１Ａは、装着される串等の直径よりも小さな案内孔２と、前記案内孔２の周縁に前記串等の形状を考慮した切り込み５Ａ，６，７Ａとを吸水性素材から成る平板状の押し出し片３Ａの略中央に形成し、前記押し出し片３Ａの片面側周縁に立設した側縁部４Ａが形成されている。【０００５】  請求項２の串用押し具１Ｂは、装着される串等の直径よりも小さな案内孔２と、前記案内孔２の周縁に前記串等の形状を考慮した切り込み５Ｂ，６，７Ｂとを吸水性素材から成る平板状の押し出し片３Ｂの略中央に形成し、前記押し出し片３Ｂの両面側周縁に立設した側縁部４Ｂが形成されている。【０００６】  請求項３の串用押し具１Ａ，１Ｂは、前記切り込み５，６，７のそれぞれの切り込み深さがそれぞれ異なるように形成されている。【０００７】  請求項４の串用押し具１Ｃ，１Ｄは、押し出し片３Ｃ，３Ｄ上に串上の食品を係止可能な凸片１３が形成されている。
【発明の効果】
【０００８】  請求項１の発明によれば、装着される串等の直径よりも小さな案内孔２と、案内孔２の周縁の切り込み５Ａ，６，７Ａから、串等に付着したたれ等を接触面から吸収でき、かつ、空間部８Ａにより、団子等から滴下するたれ等をも受けることができる。【０００９】  請求項２の発明によれば、請求項１の効果に加えて、串等への取り付け面の表裏を気にせず装着できる。【００１０】  請求項３の発明によれば、請求項１または請求項２の効果に加えて、切り込み５，６，７のそれぞれの切り込み深さがそれぞれ異なるように形成されているので、例えば、細い串を入れている最中に太い串用の切り込みが開放されたりせず、串等に付着したたれ等を串の全周の接触面から吸収でき手にたれ等が付着することを防止し、かつ、様々な大きさ、形状の串等へ対応することができる。【００１１】  請求項４の発明によれば、押し出し片３Ｃ，３Ｄ上に串上の食品を係止可能な凸片１３が形成されているので、残った食品を回転させて食品を崩すことなく串の先端部へ移動できる。
【実施例】
【００１２】  請求項１および請求項３の一部の発明について、図１乃至図３，図６乃至図８を用いて説明する。図１は請求項１に係わる串用押し具を示す正面図、図２は図１の一部破断の縦断面、図３は図２のＡ部拡大図、図６は請求項１の串用押し具を装着した食前の団子を示す一部破断の正面図、図７は請求項１の串用押し具を装着した状態で２つの団子を食したところを示す一部破断の正面図、図８請求項１の串用押し具で団子２つ分を移動したところを示す一部破断の正面図である。【００１３】  串用押し具１Ａは、装着される串等の直径よりも小さな案内孔２と、案内孔２の周縁に前記串等の形状を考慮した切り込みとして比較的切り込み深さの大きいＩＩＩ十字状の放射状切り込み５Ａと、切り込み深さの小さいＩ太串切り込み６と、切り込み深さが中程度ＩＩの平串切り込み７Ａとが、パルプ１００％の紙等の吸水性素材から成る平板状の押し出し片３Ａの略中央に形成され、押し出し片３Ａの片面側周縁に立設した側縁部４Ａを形成すべくプレス成型される。【００１４】  この用具の使用例としては、例えば、店頭でその場で食べられる串団子９を提供する場合、図６に示すように串用押し具１Ａを装着して販売する。図７はお客様が団子１０を２つ食された状態を示し、串１１の先端部１２があるため先端部１２から食べることが出来ない。そこで、図８に示すように手で押し出し片３Ａを押し上げ、残りの団子を移動せしめるものである。この際、串等に付着したたれ等を吸水性素材が接触面から吸収し、かつ、空間部８Ａにより、団子等から滴下するたれ等をも受けることができる。【００１５】  請求項２および請求項３の一部の発明について、図４および図５を用いて説明する。図４は請求項２に係わる串用押し具を示す正面図、図５は図４の一部破断の縦断面である。【００１６】  串用押し具１Ｂは、装着される串等の直径よりも小さな案内孔２と、案内孔２の周縁に前記串等の形状を考慮した切り込みとして比較的切り込み深さの大きいＩＩＩ十字状の放射状切り込み５Ｂと、切り込み深さの小さいＩ太串切り込み６と、切り込み深さが中程度ＩＩの平串切り込み７Ｂとが、パルプ１００％の紙等の吸水性素材から成る平板状の押し出し片３Ｂの略中央に形成され、押し出し片３Ｂの両面側周縁に立設した側縁部４Ｂを形成すべくプレス成型されており、この成型は紙コップの底を形成するように、円筒枠に断面コ字状の成型体を嵌め合わせても良く、特にコ字状の成型体を背中合わせにする場合は、吸水組織をサンドイッチすることで、串等を通した汚れをより確実に除去することができる。【００１７】  用例は先に述べたものと同様であり、串等に付着したたれ等を吸水性素材が接触面から吸収し、かつ、空間部８Ｂにより、団子等から滴下するたれ等をも受けることができる。【００１８】    請求項４の発明について、図９および図１１を用いて説明する。図９は請求項４に係わる串用押し具を示す正面図、図１０は図９の矢視Ｂ−Ｂ断図、図１１は請求項１乃至４に係わる他の串用押し具を示す正面図である。【００１９】  串用押し具１Ｃは、押し出し片３Ｃ，３Ｄ上に串上の食品を係止可能な凸片１３がプレス成型されており、図１０の想像線で示されるように食材と係止できるので、食材を一方的に串先端に押し出すのに比べて食材を回転させながら押し出せるので、食品を崩すことなく串の先端部へ移動できる。【００２０】  このように、たれ等を落とすことなく、また、串の取っ手に当たる部分のたれ等も拭われ、家庭内での利用を始め簡易店舗等での販売促進につなげることも可能である。
なお、これらは焼き鳥、団子はもちろんのこと、たれを伴わないアイスクリーム、ゼリー等にも利用でき、アイスクリーム等では手元への落下を防ぐストッパーの役割も果たすことができる。
【図面の簡単な説明】
【００２１】
【図１】  請求項１に係わる串用押し具を示す正面図である。
【図２】  図１の一部破断の縦断面である。
【図３】  図２のＡ部拡大図である。
【図４】  請求項２に係わる串用押し具を示す正面図である。
【図５】  図４の一部破断の縦断面である。
【図６】  請求項１の串用押し具を装着した食前の団子を示す一部破断の正面図である。
【図７】  請求項１の串用押し具を装着した状態で２つの団子を食したところを示す一部破断の正面図である。
【図８】  請求項１の串用押し具で団子２つ分を移動したところを示す一部破断の正面図である。
【図９】  請求項４に係わる串用押し具を示す正面図である。
【図１０】  図９の矢視Ｂ−Ｂ断面図である。
【図１１】  請求項１乃至４に係わる他の串用押し具を示す正面図である。
【符号の説明】
【００２２】  １Ａ  串用押し具
１Ｂ  串用押し具
１Ｃ  串用押し具
１Ｄ  串用押し具
２    案内孔
３Ａ  押し出し片
３Ｂ  押し出し片
３Ｃ  押し出し片
３Ｄ  押し出し片
４Ａ  側縁部
４Ｂ  側縁部
４Ｃ  側縁部
４Ｄ  側縁部
５Ａ  放射状切り込み
５Ｂ  放射状切り込み
５Ｃ  放射状切り込み
５Ｄ  放射状切り込み
６    太串切り込み
７Ａ  平串切り込み
７Ｂ  平串切り込み
７Ｃ  平串切り込み
７Ｄ  平串切り込み
８Ａ  空間部
８Ｂ  空間部
８Ｃ  空間部
９    串団子
１０    団子
１１    串
１２    先端部
１３    凸片
【図１】
2006187560.tif 000003
【図２】
2006187560.tif 000004
【図３】
2006187560.tif 000005
【図４】
2006187560.tif 000006
【図５】
2006187560.tif 000007
【図６】
2006187560.tif 000008
【図７】
2006187560.tif 000009
【図８】
2006187560.tif 000010
【図９】
2006187560.tif 000011
【図１０】
2006187560.tif 000012
【図１１】
2006187560.tif 000013